(57)【要約】【課題】内部に貯水させて、酸化汚染された水を美味しく且活性酸素を解離させて安全性の高い浄化水となす浄水容器の提供。【解決手段】所要容量を貯水しえる浄水容器の内壁面に、流紋岩の石基がガラス質で微弱な磁力線を放射しえ、その主要成分が酸化ケイ素７３乃至８０％と、少なくとも酸化カリウム４．２乃至４．７％酸化カルシウム０．４４乃至０．５％及び酸化マグネシウム０．１３乃至０．２１％で、且その粒径が１乃至１０ｍｍに破砕された浄化砕石が浄水容器の内壁面に接合して所要の厚さで浄化砕石が挟持された通水フィルターが装着された構成。【選択図】図２
2018043225.tif 000002
【特許請求の範囲】
【請求項１】
所要容量の貯水器の内壁面に流紋岩の石基がガラス質で微弱磁力線を放射しえ、主要成分が酸化ケイ素７３乃至８０％と、少なくとも酸化カリウム４．２乃至４．７％、酸化カルシウム０．４４乃至０．５％及び酸化マグネシウム０．１３乃至０．２１％で且その粒径が１．０乃至１０．０ｍｍに破砕された浄化砕石が浄水容器内壁面に接合して、浄化砕石が挟持された通水フィルターが装着された浄水容器。
【請求項２】
貯水容器が多様な構造と多量の貯水量を有し、その内壁面に流紋岩の石基がガラス質で微弱磁力線を放射して主要成分が酸化ケイ素７３乃至８０％、酸化カリウム４．２乃至４．７％、酸化カルシウム０．４乃至０．５％及び酸化マグネシウム０．１３乃至０．２１％で且その粒径が１．０乃至１０ｍｍに破砕された浄化砕石が所要容量割合で合成繊維不織布により、その四周囲を所要の幅と高さでシーリングして浄化パックとなし、この浄化パックが所要の幅及び長さに形成された浄化シートが配位されてなる浄水容器。
【発明の詳細な説明】
【技術分野】
【０００１】  本発明はその内部に貯水させるのみで酸化汚染された水を美味しく且安全性の高い浄化水に還元しえる浄水容器に関する。
【背景技術】
【０００２】  我が国の水資源は、飲用水や食品加工水はもとより工業用水に至るまで、雨水や湧水等を貯留のうえ採水し、砂濾過や膜濾過により汚濁物を濾除のうえ、細菌類の処理をなし供給されている。
然るにこれらの水は汚濁物の濾除や細菌類の殺菌処理はなされているものの、近年においては経済発展と共に山間部奥深くにまでレジャー施設や保養施設の展開はもとより、農作地の開墾や畜産場の移転等により、これら施設等から排出される汚水やし尿、或いは病害虫の殺虫剤や農薬等が浸透流失して貯留水中に混入すること等とも相俟って、化学的汚染も激しく今日の如く健康指向の高まりとともに現状の濾過、殺菌水には強い危険性が指摘されるに至っている。【０００３】  加えて近年においては、前記高齢化と健康指向の高まりに加えて健康医学も急速に発達し、とりわけ活性酸素による健康弊害が頻繁に公表されるに至っている。即ちこのことは、呼吸により体内に取入れられた酸素は、体中に運ばれエネルギーを生み出すが、その過程で活性酸素も作る。これは電子が不安定な状態の酸素分子でフリーラジカルとも呼ばれている。
そしてこの活性酸素は他の分子と化学結合し易く、体内の不飽和脂肪酸と結合して過酸化脂質を作るとされている。この過酸化脂質はラジカルになり易く、この物質が老化を初め発ガン、腎障害、動脈硬化、白内障等の異常を促進することが医学的に解明されている。
加えて栄養の過多は酸素消費量を増やすこととなり、また運動のやり過ぎも多量の酸素が必要となり、体内での活性酸素も増大する。【０００４】  そこでかかる現状の問題を解決する手段として、その一つは浄化され殺菌された水に高純度のマグネシウムを反応させて、殺菌剤の塩素が次式の如く水酸化マグネシウムとなり無害化され、イヤな塩素臭の防去と且発生する水素による酸化水の還元水化を図るとするものである。
２Ｈ２Ｏ＋Ｍｇ→Ｍｇ（ＯＨ）２＋Ｈ２
更にいま一つの手段は、一般的酸化水中に電極を配位のうえ直流通電をせしめ、電気分解によってＨ２Ｏ→Ｈ＋＋ＯＨ−とし、この生成されるＨ＋が粒径がちいさく且多量なため、分子結合部内まで浸入し活性酸素化を防止するとするものである。【０００５】  しかし乍らこれら解決手段においても、高純度マグネシウムを反応させる手段は、高純度マグネシウムが高価なうえ処理水量に対応して多量に使用することから処理コストが極めて高価となるばかりか、この処理に伴って多量の水素を発生させても処理水全体のアルカリ化はなされるものの、活性酸素の有効な抑制に係る作用や効果も立証されるに至っていない。
加えて他の手段として、濾過され殺菌されてなる水に電極を挿入し通電せしめて、水を電気分解し水素を生成させるものであるが、かかる手段においても処理水量が多量となれば大電力で且大型装置が要請されコスト的負担も大きく、反面処理量が僅かな場合には乾電池の如き小電力小型装置でも水素発生は可能であり、見掛上のアルカリ化はなされるものの、活性酸素の解離作用等の確認は全く判断しえない。【０００６】  発明者はかかる実情に鑑み、その解決手段につき鋭意研究を重ねた結果、濾過殺菌された水と、常温でも容易に溶出して多様な水素発生をなすイオン性化合物として酸化カルシウム、酸化マグネシウム、酸化カリウム及び酸化ナトリウム等の金属と反応させるとともに、発生した微粒径の水素を活性酸素結合部位まで磁気作用により積極的に接触侵入せしめることで、活性酸素の解離がなしえることを確認するに至った。【０００７】  そこで、かかるイオン性化合物を望ましくは多種に亘って含有し、以って貯水される水と反応せしめて多様の発生水素を生成せしめ、且磁気放射性を保持する素材として流紋岩の石基がガラス質の黒曜石が挙げられるものの、黒曜石も国内ですら広範な地区で産出されるものの、石基の違いやイオン性化合物の含有割合も大きく異なる。
そこで本発明に好適な黒曜石としては、流紋岩の石基がガラス質からなるとともに、含有成分としては主要成分の酸化ケイ素７３乃至８０％の他に、含有成分として少なくとも酸化カリウム４．２乃至４．７％、酸化カルシウム０．４４乃至０．５％及び酸化マグネシウム０．１３乃至０．２１％の物が望まれる。
加えて重要なことは、本発明が浄水容具に係るもので、仮に含有成分が溶出し且石基がガラス質により磁気放射がなされても溶出分や磁気放射分も僅かである。
従って貯留される水と黒曜石との接触面積並びに接触流動抵抗を高めることが肝要で、これがためには黒曜石を破砕して使用することで可能なることに想到し本発明に至った。
【発明の概容】
【発明が解決しようとする課題】
【０００８】  本発明は、その内部に貯水させるのみで、酸化汚染された水を美味しく且活性酸素を解離させて安全性の高い浄化水となす浄水容器の提供にある。
【課題を解決するための手段】
【０００９】  上述の課題を解決するために本発明が採用した技術的手段は、所要容量を貯水しえる浄水容器の内壁面には流紋岩の石基がガラス質で微弱磁力線を放射しえ、その主要成分が酸化ケイ素７３乃至８０％と、少なくとも酸化カリウム４．２乃至４．７％、酸化カルシウム０．４４乃至０．５％及び酸化マグネシウム０．１３乃至０．２１％で、且その粒径が１乃至１０ｍｍに破砕された浄化砕石が浄水容器の内壁面に接合して所要の厚さで浄化砕石が挟持された通水フィルターが装着された構成の浄水容器に存する。
【発明の効果】
【００１０】  本発明はかかる如き構成からなるものであって、所要容量が貯水しえる浄水容器の内壁面に接合して所要の厚さで且破砕により水との接触面積が膨大な浄化砕石が挟持された通水フィルターが装着されてなるから、注入された水を浄化砕石が挟持された通水フィルター内の浄化砕石の多様な空璧内を接触し貯水され而も浄水容器が持参され若しくは移動されることにより、内部の貯水も複雑に流動し通水フィルター内の浄化砕石と接触する。
してみると浄化砕石中には注入される水と該浄化砕石中の酸化カリウム、酸化カルシウム、酸化マグネシウム等と反応し水素が発生し注入水のアルカリ化所謂還元化が進むとともに、特に浄化砕石は流紋岩の石基がガラス質であり且微細に破砕されてなるから、その放射される微弱磁力線も強力となり、発生した多量の微細水素イオンが活性酸素結合部位にまで接触浸入せしめられ活性酸素の解離が図られる。
そしてかかる注入された水は、浄水容器内で複雑に流動されればされる程、イオン性化合物と積極的に反応され微細な水素イオンの多量生成と強力な磁力線放射とにより活性酸素結合部に侵入され、活性酸素の解離もなされ還元浄化水となる。
【図面の簡単な説明】
【００１１】
【図１】  浄化砕石の見取図である。
【図２】  通水フィルターの使用説明図である。
【図３】  浄化フィルターの説明図である。
【図４】  本発明浄化容器の一部切穴説明図である。
【発明を実施するための形態】
【００１２】    以下に本発明の実施の形態を図１乃至図５に基づいて説明する。
【００１３】  図１は浄化砕石１の見取図であって、この浄化砕石１は流紋岩の石基がガラス質からなり、微弱な磁力線を放射しえ且貯水される水４に反応し多種多量の水素を発生させるための成分として、酸化カリウムや酸化カルシウム若しくは酸化マグネシウム等を含有する石材として黒曜石が挙げられるが、具体的石材の組成及び成分としては、流紋岩の石基がガラス質で且含有成分として酸化ケイ酸７３乃至８０％に少なくとも酸化カリウム４．２乃至４．７％、酸化カルシウム０．４４乃至０．５％及び酸化マグネシウム０．１３乃至０．２１％の黒曜石が選択される。
そしてこの選択された黒曜石に対し、貯水される水４に大きな接触面積並びに撹乱流動せしめて多量の微細粒径の水素を生成せしめ、且この生成された微細粒径の水素を多方向より微弱な磁力線を放射せしめて、活性酸素の結合部位まで侵入せしめて活性酸素の解離を図ることにある。
【００１４】  図２は本発明に用いる通水フィルター２の説明図であって、該通水フィルター２は、通常は魔法瓶の如き浄水容器３の内部に挿着使用するものであるから、通常はその内部に浄化砕石１が挾持されるような織目合若しくは編目合の挟持網材２Ａで形成されている。
そしてかかる通水フィルター２に挟持される浄化砕石１は浄水容器３に貯水される水量によって使い分けするのが好適であって、貯留量が略１．８ｌ以下では浄化砕石１の粒径が１乃至３ｍｍ程度の物を通水フィルター２内に挟持厚さで略３乃至５ｍｍ程度で、更に貯留水量が業務用の如く多量に及ぶ場合には、浄化砕石１の粒径も３乃至１０ｍｍで且挟持厚さも略５乃至１０ｍｍ程度に挟持させることが望ましい。
当然に通水フィルター２の織目合や編目合は挟持される浄化砕石１が係止しえるよう形成されており、加えて該通水フィルター２の形成素材としては貯水される水４はもとより発生する多量の水素に対しても化学的に安定で且その内部に挟持される浄化砕石１を所望の厚さや形状に保持しえる物理的強力や剛性を有する素材として、金属素材としてはステンレス線条、合成樹脂素材としてはポリエチレン、ポリプロピレン、ポリエステル等のモノフィラメント若しくはマルチフィラメントが挙げられる。
そして留意すべきは、浄化砕石１を形成する黒曜石が仮に１０ｍｍ角の粒径では、その水４との接触総面積は６００ｍｍ２であるが、これを５ｍｍ角程度の８分割に破砕させた場合の水４との接触面積は１２００ｍｍ２にも増大し、細粒化されればされる程水４との接触面積は膨大となる。加えて黒曜石は極めて高硬度であるから、多重加圧破砕に際しても多様な鋭角及び鈍角が混在して破砕されるため、貯水される水４との接触面積が膨大なばかりか、接触流動抵抗も著しく増大することとなる。
【００１５】  ところで前記通水フィルター２は、主に旅行やスポーツ等に携帯持参する魔法瓶や水筒等に貯留される水を還元浄化し、美味さとともに健康増進を図ることにある。
然してこの貯留される水は主に水道水が使用されるもので、本来的に水道水は、降雨による雨水が地表凹部に沿って集水流となり、且多数の集水流が集合により小川となり、更に合流して河川と化し、若しくは降雨による雨水が地下に浸透し且この浸透流が合流して地下水流と化すもので、これら河川から取水し若しくは地下水流を汲み上げて原水となし、汚濁物質の濾過と且塩素殺菌を施したものである。
そして肝要なことは、年々著しい開発事業の拡大化、即ちレジャー施設や保養所、療養施設等の新設に加えて道路網の開拓ばかりか、都市化に伴って農耕地や養鶏や畜産工場等も郊外山間部への移設等とも相俟って、自然環境が著しく破壊されつつある。
従って原状の水源は降雨水も掘削露呈された地面や舗装のままの路面、或いはレジャー施設や保養所、療養所の建物に人工的に植設される花弁や草木或いは移設園地等では防虫剤や病害防止剤並びに化成肥料等の多量の散布、更には養鶏、養豚の糞尿の浸透放散と接触して流水し集水されて小川となり且河川化し、或いは接触しつつ地下水となるため、これら水中には極めて多種多量の酸化物質が混入結合され、これにより還元性の高い降雨原水も酸化水の態様となる。そこで図２の如く魔法瓶や水筒等の浄水容器内に黒曜石からなる通水フィルターを配位し還元水化を図るものである。
そしてかかる酸化水では多種多量の酸化物の混入結合により水自体にぬめり感や微妙な味覚や臭気さえも知覚され、水の美味しさの滅失ばかりか活性酸素の結合性を高める危険も指摘されている。
【００１６】  ところで生活に要する水は専ら水道水であって酸化水でもあり飲料水はもとより加工食品用水やパンやメン、ウドン等の他にしょう油、ソース、ケチャップ等の調味料等に加え調理用水としても膨大量が使用されている。しかしながらこれらに使用する水も水道水であり酸化水であるから、ぬめり感に加えてコクや香味等も無く、従って加工食品や調理品はもとより、しょう油やケチャップ等の調味料を初めジュース類等には、本来的味覚や風味も創出されない。
そして加工食品、調味料等食品においては、多様な構造と且膨大量の貯水容器が使用される。従ってかかる膨大量に貯水される酸化水を有効に還元化するには、貯水容器の内壁面に沿って自在に変形し若しくは曲折して配位させ、且貯水される酸化水が多方向に撹乱されつつ黒曜石粒体がシーリング加工された浄化パックを流通せしめて還元化を図ることが好適である。そこで図３において具体的に説明すれば同図３のＡには耐水性や耐久性に優れ且変形や曲折が自在で、その内部には粒径が１乃至１０ｍｍ程度に破砕された黒曜石粒体２０Ａを漏出させぬ目合編成され且表裏面がヒートシール可能な不織布２０が用いられる。そして同図Ｂにおいては、該不織布２０を所要の幅でシーリング２０Ｂし且所要容量の黒曜石粒体２０Ａを充填のうえ所要の高さでシーリング２０Ｂをなすことにより浄化パック２０Ｃが形成される。
かくして形成された浄化パック２０Ｃは、図３のＣ及びＤにおいて示されてなる如く、貯水容器２２に配位させる状態が示されてなり図３のＣでは貯水容器２２の円筒形状に沿って浄化パック２０Ｃが変形配位された状態で、浄化パック２０Ｃはその内部に、黒曜石粒体２０Ａの充填により浄化フィルター２１を内外面に膨起し、且黒曜石粒体２０Ａの多量破砕間隔等により貯水された酸化水が多方向に接触流水されて効果的に還元水になされる。更に図３のＤには貯水容器２２の角錘形状の場合にも、浄化フィルター２１も角錘形状に沿って折合させることで配位される。
【００１７】  図４は本発明浄水容器３の一部の切欠説明図であって、本発明浄水容器３も貯水量が略２ｌ以下の場合ではレジャーやスポーツ、旅行等の他日常の飲用保水として扱い性即ち携帯に便利な大きさや形状が望まれるため通常は魔法瓶の外形や容量が目安となるもので、魔法瓶タイプでは上端にキャップ３Ａ、下部に筒部３Ｂを有する。
反面業務用等多量の貯水容量の場合では、十分に対処できる径及び長さの容器が望まれるものでその理由も容器内面に浄化砕石１が挟持された浄化フィルター２１の配設が有利なことにある。
【符号の説明】
【００１８】１      浄化砕石
２      通水フィルター
２Ａ    挟持鋼材
２０    合成繊維不織布
２０Ａ  黒曜石粒体
２０Ｂ  シーリング加工
２０Ｃ  浄水パック
２１    浄化フィルター
２２    貯水容器
３      浄水容器
３Ａ    浄水容器のキャップ
３Ｂ    浄水容器の筒部
４      貯水される水
【図１】
2018043225.tif 000003
【図２】
2018043225.tif 000004
【図３】
2018043225.tif 000005
【図４】
2018043225.tif 000006